【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
滅菌剤が入っているカートリッジから前記滅菌剤を抽出して対象物を滅菌する滅菌装置であって、
前記カートリッジから滅菌剤を抽出する抽出管と、
前記抽出管により前記カートリッジ内の滅菌剤を抽出する場合に、前記抽出管を前記カートリッジに挿入して、前記抽出管を、前記カートリッジ内の滅菌剤を前記抽出管により抽出する位置に移動し、一方、当該位置に移動された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記抽出管を移動する移動手段と、
を備えることを特徴とする滅菌装置。
【請求項２】
前記抽出管による前記カートリッジからの滅菌剤の抽出結果に基づいて、前記抽出管により滅菌剤が抽出された後のカートリッジ内に、滅菌処理を行うために必要な所定量の滅菌剤が入っているかを判定する判定手段を更に備え、
前記移動手段は、前記判定手段により、前記カートリッジ内に、滅菌処理を行うために必要な所定量の滅菌剤が入っていると判定されたことを条件に、同一の前記カートリッジで次の滅菌処理を行うべく、前記同一のカートリッジ内から前記抽出管が抜き出されない位置、かつ、前記抽出管が前記同一のカートリッジ内の滅菌剤に浸からない位置に、前記抽出管を移動することを特徴とする請求項１に記載の滅菌装置。
【請求項３】
前記移動手段は、前記判定手段により、前記カートリッジ内に、滅菌処理を行うために必要な所定量の滅菌剤が入っていないと判定されたことを条件に、前記カートリッジ内から前記抽出管を抜き出すことを特徴とする請求項２に記載の滅菌装置。
【請求項４】
前記カートリッジから抽出された滅菌剤を廃棄する廃棄手段を更に備え、
前記廃棄手段は、前記判定手段により、前記カートリッジ内に、滅菌処理を行うために必要な所定量の滅菌剤が入っていないと判定されたことを条件に前記抽出管により前記カートリッジ内から抽出された滅菌剤を廃棄し、
前記移動手段は、前記判定手段により、前記カートリッジ内に、滅菌処理を行うために必要な所定量の滅菌剤が入っていないと判定された場合に前記抽出管により前記カートリッジ内から滅菌剤が抽出された後に前記カートリッジ内から前記抽出管を抜き出すことを特徴とする請求項３に記載の滅菌装置。
【請求項５】
滅菌剤が入っているカートリッジから前記滅菌剤を抽出して対象物を滅菌する滅菌装置であって、
前記カートリッジから滅菌剤を抽出する抽出管と、
前記抽出管により前記カートリッジ内の滅菌剤を抽出する場合に、前記抽出管が前記カートリッジに挿入されるように前記カートリッジを移動して、前記カートリッジ内の滅菌剤を前記抽出管により抽出する位置に前記カートリッジを移動し、一方、当該挿入された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記カートリッジを移動する移動手段と、
を備えることを特徴とする滅菌装置。
【請求項６】
前記抽出管による前記カートリッジからの滅菌剤の抽出結果に基づいて、前記抽出管により滅菌剤が抽出された後のカートリッジ内に、滅菌処理を行うために必要な所定量の滅菌剤が入っているかを判定する判定手段を更に備え、
前記移動手段は、前記判定手段により、前記カートリッジ内に、滅菌処理を行うために必要な所定量の滅菌剤が入っていると判定されたことを条件に、同一の前記カートリッジで次の滅菌処理を行うべく、前記同一のカートリッジ内から前記抽出管が抜き出されない位置、かつ、前記抽出管が前記同一のカートリッジ内の滅菌剤に浸からない位置に、前記カートリッジを移動することを特徴とする請求項５に記載の滅菌装置。
【請求項７】
前記移動手段は、前記判定手段により、前記カートリッジ内に、滅菌処理を行うために必要な所定量の滅菌剤が入っていないと判定されたことを条件に、前記カートリッジ内から前記抽出管を抜き出す位置に前記同一のカートリッジを移動することを特徴とする請求項６に記載の滅菌装置。
【請求項８】
前記カートリッジから抽出された滅菌剤を廃棄する廃棄手段を更に備え、
前記廃棄手段は、前記判定手段により、前記カートリッジ内に、滅菌処理を行うために必要な所定量の滅菌剤が入っていないと判定されたことを条件に前記抽出管により前記カートリッジ内から抽出された滅菌剤を廃棄し、
前記移動手段は、前記判定手段により、前記カートリッジ内に、滅菌処理を行うために必要な所定量の滅菌剤が入っていないと判定された場合に前記抽出管により前記カートリッジ内から滅菌剤が抽出された後に前記カートリッジ内から前記抽出管を抜き出す位置に前記カートリッジを移動することを特徴とする請求項７に記載の滅菌装置。
【請求項９】
滅菌剤が貯留されているタンクから前記滅菌剤を抽出して対象物を滅菌する滅菌装置であって、
前記タンクから滅菌剤を抽出する抽出管と、
前記抽出管により前記タンク内の滅菌剤を抽出する場合に、前記抽出管、又は前記タンクを移動することで前記抽出管を前記タンクに挿入して、前記タンク内の滅菌剤を前記抽出管により抽出する位置に前記抽出管、又は前記タンクを移動し、一方、前記抽出管により前記タンク内の滅菌剤が抽出されてから、次の滅菌処理で用いられる同一の前記タンク内の滅菌剤の前記抽出管による抽出を行うまでの間に、前記同一のタンク内から前記抽出管が抜き出されない位置、かつ、前記抽出管が前記同一のタンク内の滅菌剤に浸からない位置に前記抽出管、又は前記タンクを移動する移動手段と、
を備えることを特徴とする滅菌装置。
【請求項１０】
前記抽出管による前記タンクからの滅菌剤の抽出結果に基づいて、前記抽出管により滅菌剤が抽出された後のタンク内に、滅菌処理を行うために必要な所定量の滅菌剤が入っているかを判定する判定手段を更に備え、
前記移動手段は、前記判定手段により、前記タンク内に、滅菌処理を行うために必要な所定量の滅菌剤が入っていると判定されたことを条件に、同一の前記タンクで次の滅菌処理を行うべく、前記同一のタンク内から前記抽出管が抜き出されない位置、かつ、前記抽出管が前記同一のタンク内の滅菌剤に浸からない位置に、前記抽出管、又は前記タンクを移動することを特徴とする請求項９に記載の滅菌装置。
【請求項１１】
前記移動手段は、前記判定手段により、前記タンク内に、滅菌処理を行うために必要な所定量の滅菌剤が入っていないと判定されたことを条件に、前記抽出管、又は前記タンクを移動することで前記タンク内から前記抽出管を抜き出すことを特徴とする請求項１０に記載の滅菌装置。
【請求項１２】
前記タンクから抽出された滅菌剤を廃棄する廃棄手段を更に備え、
前記廃棄手段は、前記判定手段により、前記タンク内に、滅菌処理を行うために必要な所定量の滅菌剤が入っていないと判定されたことを条件に前記抽出管により前記タンク内から抽出された滅菌剤を廃棄し、
前記移動手段は、前記判定手段により、前記タンク内に、滅菌処理を行うために必要な所定量の滅菌剤が入っていないと判定された場合に前記抽出管により前記タンク内から滅菌剤が抽出された後に、前記抽出管、又は前記タンクを移動することで前記タンク内から前記抽出管を抜き出すことを特徴とする請求項１１に記載の滅菌装置。
【請求項１３】
滅菌剤が入っているカートリッジから前記滅菌剤を抽出する抽出管を備え、前記抽出管により前記カートリッジから前記滅菌剤を抽出して対象物を滅菌する滅菌装置における滅菌方法であって、
前記滅菌装置の移動手段が、前記抽出管により前記カートリッジ内の滅菌剤を抽出する場合に、前記抽出管を前記カートリッジに挿入して、前記抽出管を、前記カートリッジ内の滅菌剤を前記抽出管により抽出する位置に移動し、一方、当該位置に移動された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記抽出管を移動する移動工程を備えることを特徴とする滅菌方法。
【請求項１４】
滅菌剤が入っているカートリッジから前記滅菌剤を抽出する抽出管を備え、前記抽出管により前記カートリッジから前記滅菌剤を抽出して対象物を滅菌する滅菌装置における滅菌方法であって、
前記滅菌装置の移動手段が、前記抽出管により前記カートリッジ内の滅菌剤を抽出する場合に、前記抽出管が前記カートリッジに挿入されるように前記カートリッジを移動して、前記カートリッジ内の滅菌剤を前記抽出管により抽出する位置に前記カートリッジを移動し、一方、当該挿入された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記カートリッジを移動する移動工程を備えることを特徴とする滅菌方法。
【請求項１５】
滅菌剤が貯留されているタンクから前記滅菌剤を抽出する抽出管を備え、前記抽出管により前記タンクから前記滅菌剤を抽出して対象物を滅菌する滅菌装置における滅菌方法であって、
前記滅菌装置の移動手段が、前記抽出管により前記タンク内の滅菌剤を抽出する場合に、前記抽出管、又は前記タンクを移動することで前記抽出管を前記タンクに挿入して、前記タンク内の滅菌剤を前記抽出管により抽出する位置に前記抽出管、又は前記タンクを移動し、一方、前記抽出管により前記タンク内の滅菌剤が抽出されてから、次の滅菌処理で用いられる同一の前記タンク内の滅菌剤の前記抽出管による抽出を行うまでの間に、前記同一のタンク内から前記抽出管が抜き出されない位置、かつ、前記抽出管が前記同一のタンク内の滅菌剤に浸からない位置に前記抽出管、又は前記タンクを移動する移動工程を備えることを特徴とする滅菌方法。
【請求項１６】
滅菌剤が入っているカートリッジから前記滅菌剤を抽出する抽出管を備え、前記抽出管により前記カートリッジから前記滅菌剤を抽出して対象物を滅菌する滅菌装置で読み取り実行可能なプログラムであって、
前記滅菌装置を、
前記抽出管により前記カートリッジ内の滅菌剤を抽出する場合に、前記抽出管を前記カートリッジに挿入して、前記抽出管を、前記カートリッジ内の滅菌剤を前記抽出管により抽出する位置に移動し、一方、当該位置に移動された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記抽出管を移動する移動手段として機能させることを特徴とするプログラム。
【請求項１７】
滅菌剤が入っているカートリッジから前記滅菌剤を抽出する抽出管を備え、前記抽出管により前記カートリッジから前記滅菌剤を抽出して対象物を滅菌する滅菌装置で読み取り実行可能なプログラムであって、
前記滅菌装置を、
前記抽出管により前記カートリッジ内の滅菌剤を抽出する場合に、前記抽出管が前記カートリッジに挿入されるように前記カートリッジを移動して、前記カートリッジ内の滅菌剤を前記抽出管により抽出する位置に前記カートリッジを移動し、一方、当該挿入された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記カートリッジを移動する移動手段として機能させることを特徴とするプログラム。
【請求項１８】
滅菌剤が貯留されているタンクから前記滅菌剤を抽出する抽出管を備え、前記抽出管により前記タンクから前記滅菌剤を抽出して対象物を滅菌する滅菌装置で読み取り実行可能なプログラムであって、
前記滅菌装置を、
前記抽出管により前記タンク内の滅菌剤を抽出する場合に、前記抽出管、又は前記タンクを移動することで前記抽出管を前記タンクに挿入して、前記タンク内の滅菌剤を前記抽出管により抽出する位置に前記抽出管、又は前記タンクを移動し、一方、前記抽出管により前記タンク内の滅菌剤が抽出されてから、次の滅菌処理で用いられる同一の前記タンク内の滅菌剤の前記抽出管による抽出を行うまでの間に、前記同一のタンク内から前記抽出管が抜き出されない位置、かつ、前記抽出管が前記同一のタンク内の滅菌剤に浸からない位置に前記抽出管、又は前記タンクを移動する移動手段として機能させることを特徴とするプログラム。
【手続補正２】
【補正対象書類名】明細書
【補正対象項目名】００１６
【補正方法】変更
【補正の内容】
【００１６】
本発明は、滅菌剤が入っているカートリッジから前記滅菌剤を抽出して対象物を滅菌する滅菌装置であって、前記カートリッジから滅菌剤を抽出する抽出管と、前記抽出管により前記カートリッジ内の滅菌剤を抽出する場合に、前記抽出管を前記カートリッジに挿入して、前記抽出管を、前記カートリッジ内の滅菌剤を前記抽出管により抽出する位置に移動し、一方、当該位置に移動された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記抽出管を移動する移動手段と、を備えることを特徴とする。
【手続補正３】
【補正対象書類名】明細書
【補正対象項目名】００１７
【補正方法】変更
【補正の内容】
【００１７】
また、本発明は、滅菌剤が入っているカートリッジから前記滅菌剤を抽出して対象物を滅菌する滅菌装置であって、前記カートリッジから滅菌剤を抽出する抽出管と、前記抽出管により前記カートリッジ内の滅菌剤を抽出する場合に、前記抽出管が前記カートリッジに挿入されるように前記カートリッジを移動して、前記カートリッジ内の滅菌剤を前記抽出管により抽出する位置に前記カートリッジを移動し、一方、当該挿入された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記カートリッジを移動する移動手段と、を備えることを特徴とする。
【手続補正４】
【補正対象書類名】明細書
【補正対象項目名】００１８
【補正方法】変更
【補正の内容】
【００１８】
また、本発明は、滅菌剤が貯留されているタンクから前記滅菌剤を抽出して対象物を滅菌する滅菌装置であって、前記タンクから滅菌剤を抽出する抽出管と、前記抽出管により前記タンク内の滅菌剤を抽出する場合に、前記抽出管、又は前記タンクを移動することで前記抽出管を前記タンクに挿入して、前記タンク内の滅菌剤を前記抽出管により抽出する位置に前記抽出管、又は前記タンクを移動し、一方、前記抽出管により前記タンク内の滅菌剤が抽出されてから、次の滅菌処理で用いられる同一の前記タンク内の滅菌剤の前記抽出管による抽出を行うまでの間に、前記同一のタンク内から前記抽出管が抜き出されない位置、かつ、前記抽出管が前記同一のタンク内の滅菌剤に浸からない位置に前記抽出管、又は前記タンクを移動する移動手段と、を備えることを特徴とする。
【手続補正５】
【補正対象書類名】明細書
【補正対象項目名】００１９
【補正方法】変更
【補正の内容】
【００１９】
また、本発明は、滅菌剤が入っているカートリッジから前記滅菌剤を抽出する抽出管を備え、前記抽出管により前記カートリッジから前記滅菌剤を抽出して対象物を滅菌する滅菌装置における滅菌方法であって、前記滅菌装置の移動手段が、前記抽出管により前記カートリッジ内の滅菌剤を抽出する場合に、前記抽出管を前記カートリッジに挿入して、前記抽出管を、前記カートリッジ内の滅菌剤を前記抽出管により抽出する位置に移動し、一方、当該位置に移動された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記抽出管を移動する移動工程を備えることを特徴とする。
【手続補正６】
【補正対象書類名】明細書
【補正対象項目名】００２０
【補正方法】変更
【補正の内容】
【００２０】
また、本発明は、滅菌剤が入っているカートリッジから前記滅菌剤を抽出する抽出管を備え、前記抽出管により前記カートリッジから前記滅菌剤を抽出して対象物を滅菌する滅菌装置における滅菌方法であって、前記滅菌装置の移動手段が、前記抽出管により前記カートリッジ内の滅菌剤を抽出する場合に、前記抽出管が前記カートリッジに挿入されるように前記カートリッジを移動して、前記カートリッジ内の滅菌剤を前記抽出管により抽出する位置に前記カートリッジを移動し、一方、当該挿入された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記カートリッジを移動する移動工程を備えることを特徴とする。
【手続補正７】
【補正対象書類名】明細書
【補正対象項目名】００２１
【補正方法】変更
【補正の内容】
【００２１】
また、本発明は、滅菌剤が貯留されているタンクから前記滅菌剤を抽出する抽出管を備え、前記抽出管により前記タンクから前記滅菌剤を抽出して対象物を滅菌する滅菌装置における滅菌方法であって、前記滅菌装置の移動手段が、前記抽出管により前記タンク内の滅菌剤を抽出する場合に、前記抽出管、又は前記タンクを移動することで前記抽出管を前記タンクに挿入して、前記タンク内の滅菌剤を前記抽出管により抽出する位置に前記抽出管、又は前記タンクを移動し、一方、前記抽出管により前記タンク内の滅菌剤が抽出されてから、次の滅菌処理で用いられる同一の前記タンク内の滅菌剤の前記抽出管による抽出を行うまでの間に、前記同一のタンク内から前記抽出管が抜き出されない位置、かつ、前記抽出管が前記同一のタンク内の滅菌剤に浸からない位置に前記抽出管、又は前記タンクを移動する移動工程を備えることを特徴とする。
【手続補正８】
【補正対象書類名】明細書
【補正対象項目名】００２２
【補正方法】変更
【補正の内容】
【００２２】
また、本発明は、滅菌剤が入っているカートリッジから前記滅菌剤を抽出する抽出管を備え、前記抽出管により前記カートリッジから前記滅菌剤を抽出して対象物を滅菌する滅菌装置で読み取り実行可能なプログラムであって、前記滅菌装置を、前記抽出管により前記カートリッジ内の滅菌剤を抽出する場合に、前記抽出管を前記カートリッジに挿入して、前記抽出管を、前記カートリッジ内の滅菌剤を前記抽出管により抽出する位置に移動し、一方、当該位置に移動された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記抽出管を移動する移動手段として機能させることを特徴とする。
【手続補正９】
【補正対象書類名】明細書
【補正対象項目名】００２３
【補正方法】変更
【補正の内容】
【００２３】
また、本発明は、滅菌剤が入っているカートリッジから前記滅菌剤を抽出する抽出管を備え、前記抽出管により前記カートリッジから前記滅菌剤を抽出して対象物を滅菌する滅菌装置で読み取り実行可能なプログラムであって、前記滅菌装置を、前記抽出管により前記カートリッジ内の滅菌剤を抽出する場合に、前記抽出管が前記カートリッジに挿入されるように前記カートリッジを移動して、前記カートリッジ内の滅菌剤を前記抽出管により抽出する位置に前記カートリッジを移動し、一方、当該挿入された前記抽出管により前記カートリッジ内の滅菌剤が抽出されてから、次の滅菌処理で用いられる同一の前記カートリッジ内の滅菌剤の前記抽出管による抽出を行うまでの間に、前記同一のカートリッジ内から前記抽出管が抜き出されない位置、かつ、前記抽出管が前記同一のカートリッジ内の滅菌剤に浸からない位置に前記カートリッジを移動する移動手段として機能させることを特徴とする。
【手続補正１０】
【補正対象書類名】明細書
【補正対象項目名】００２４
【補正方法】変更
【補正の内容】
【００２４】
また、本発明は、滅菌剤が貯留されているタンクから前記滅菌剤を抽出する抽出管を備え、前記抽出管により前記タンクから前記滅菌剤を抽出して対象物を滅菌する滅菌装置で読み取り実行可能なプログラムであって、前記滅菌装置を、前記抽出管により前記タンク内の滅菌剤を抽出する場合に、前記抽出管、又は前記タンクを移動することで前記抽出管を前記タンクに挿入して、前記タンク内の滅菌剤を前記抽出管により抽出する位置に前記抽出管、又は前記タンクを移動し、一方、前記抽出管により前記タンク内の滅菌剤が抽出されてから、次の滅菌処理で用いられる同一の前記タンク内の滅菌剤の前記抽出管による抽出を行うまでの間に、前記同一のタンク内から前記抽出管が抜き出されない位置、かつ、前記抽出管が前記同一のタンク内の滅菌剤に浸からない位置に前記抽出管、又は前記タンクを移動する移動手段として機能させることを特徴とする。